(57)【要約】【課題】多段フィルタの１つのフィルタだけではなく、他のフィルタに付いた塵も簡単かつ衛生的に処理できる電気掃除機を提供することにある。【解決手段】掃除機本体２内の電動送風機１３の上流側に配置された集塵ケース３０に、上流フィルタ４１を固定するとともに、この上流フィルタ４１を通過した塵を捕捉する下流フィルタ３５を備える。上流フィルタ４１の除塵をする上流塵落し具４６と下流フィルタ３５の除塵をする下流塵落し具１９とを連動手段６１で連動させたことを特徴としている。【選択図】      図２
2005177289.tif 000002
【特許請求の範囲】
【請求項１】
電動送風機の上流側に配置された集塵ケースに、上流フィルタを設けるとともに、この上流フィルタを通過した塵を捕捉する下流フィルタを備えた電気掃除機であって、
前記上流フィルタの除塵をする上流塵落し具と、前記下流フィルタの除塵をする下流塵落し具と、前記両塵落し具を連動させる連動手段と、を具備した電気掃除機。
【請求項２】
電動送風機の上流側に配置された集塵ケースに、この集塵ケースの吸込み口側に突出するろ過凸部及びこの凸部に設けられた上流フィルタを設けるとともに、この上流フィルタを通過した塵を捕捉する下流フィルタを備えた電気掃除機であって、
前記上流フィルタの少なくともろ過凸部の除塵をする上流塵落し具と、前記下流フィルタの除塵をする下流塵落し具と、前記両塵落し具を連動させる連動手段と、を具備した電気掃除機。
【請求項３】
請求項１又は２に記載の電気掃除機において、
前記下流フィルタが前記集塵ケースに対して着脱可能に設けられ、
前記連動手段が、前記上流フィルタを貫通した前記上流塵落し具の回転軸に設けられた受動軸継手部と、一端部に前記受動軸継手部に着脱可能に接続される駆動軸継手部を有し、他端部に前記下流塵落し具に着脱可能に接続する接続部を有して、前記下流フィルタを貫通して回転自在に取付けられた連動軸と、を備えている。
【発明の詳細な説明】
【技術分野】
【０００１】
本発明は、塵をろ過して分離する多段フィルタを備えた電気掃除機に関する。
【背景技術】
【０００２】
従来、電動送風機の運転により吸込まれる気流中の塵を分離する手段として、集塵室が形成された集塵ケースに多段フィルタを設けた電気掃除機が知られている（例えば特許文献１参照。）。
【０００３】
この特許文献１の技術では、メッシュフィルタと、スポンジフィルタと、メッシュの密な蛇腹状フィルタとを、この記載順に上流側から下流側に並べてフィルタ枠に挿着してフィルタユニットを形成し、このユニットを集塵室に挿着している。更に、コードリールの回転に連動するギアを設けて、このギアが有した除塵体によって、最も下流側に配置された蛇腹状フィルタを除塵するようにしている。
【特許文献１】実願昭５３−１６２０２８号（実開昭５５−７８０５０号）のマクロフィルム（第５頁第６行〜第１７行、第７頁第５行〜第８行、第１図及び第２図）
【発明の開示】
【発明が解決しようとする課題】
【０００４】
特許文献１の技術では、コードリールの回転に連動して最も下流側に配置された蛇腹状フィルタを除塵できるが、それ以外のフィルタ例えば最も上流側に配置されたネットフィルタを、同時に除塵することはできない。このネットフィルタの除塵をするためには、集塵ケースからフィルタユニットを取外して、ネットフィルタに付いている綿塵などを手作業で取除く必要がある。このため、手間が掛かり面倒であるとともに、手が塵で汚される不都合がある。
【０００５】
本発明の目的は、多段フィルタの１つのフィルタだけではなく、他のフィルタに付いた塵も簡単かつ衛生的に処理できる電気掃除機を提供することにある。
【課題を解決するための手段】
【０００６】
本発明は、掃除機本体内の電動送風機の上流側に配置された集塵ケースに、上流フィルタを設けるとともに、この上流フィルタを通過した塵を捕捉する下流フィルタを備え、上流フィルタの除塵をする上流塵落し具と、下流フィルタの除塵をする下流塵落し具とを連動手段で連動させたことを特徴としている。
【発明の効果】
【０００７】
本発明によれば、上流フィルタと下流フィルタとが集塵ケースに配置されたままの状態で、互いに連動する上流塵落し具と下流塵落し具とを用いて同時に塵落しができるので、多段フィルタの１つのフィルタだけではなく、他のフィルタに付いた塵も簡単かつ衛生的に処理できる電気掃除機を提供できる。
【発明を実施するための最良の形態】
【０００８】
図１〜図６を参照して本発明の第１実施形態を説明する。
【０００９】
図１中符号１で示す電気掃除機が備える掃除機本体２には、可撓性の吸塵ホース３の一端部３ａが着脱可能に接続されている。吸塵ホース３は他端部に手元操作部４を備えている。手元操作部４には伸縮可能な延長管５が着脱可能に接続され、延長管５の先端部には吸込み口体６が着脱可能に接続される。手元操作部４はハンドル４ａを有し、このハンドル４ａには遠隔操作用の操作スイッチ４ｂが設けられている。
【００１０】
図１及び図２に示すように掃除機本体２は、本体ケース１０と、蓋体２０と、本体ケース１０に着脱自在に取付けられる集塵ケース（ダストカップ）３０とを備えている。蓋体２０はその後部が本体ケース１０の前部にヒンジ結合されて上下方向に開閉可能に設けられている。
【００１１】
本体ケース１０は、後側の電動部１１と前側の載置部１２とを備えている。図２に示すように電動部１１には電動送風機１３が内蔵されている。電動部１１の前面は開口され、この開口は電動送風機１３の吸気口１３Ａに連通している。載置部１２は、電動部１１の下部から前方へ一体に突出されていて、上方に開放する凹状をなす皿状に形成されている。この載置部１２には集塵ケース３０が着脱自在に載置される。蓋体２０が閉じられることによって、蓋体２０と載置部１２とが集塵ケース３０を挟持して固定するようになっている。蓋体２０は、その前部に取付けられたパイプからなる吸込み口２１を有している。吸込み口２１は前後方向に延びており、これには吸塵ホース３の一端部３ａが着脱可能に接続される。
【００１２】
本体ケース１０の幅方向両側壁には、本体ケース１０の前側上部から後側下部にわたる斜状の膨出部１４（一方のみ図示）が夫々一体に形成され、これら膨出部１４の下端部に後輪１５が回転自在に取付けられている。両膨出部１４と本体ケース１０の両側壁の前側部分には複数の排気孔からなる排気部１６が設けられている。排気部１６は図示しない排気風路を介して電動送風機１３の排気口１３Ｂ（図２参照）と連通している。電動送風機１３の排気口１３Ｂから排気される空気は排気風路を介して排気部１６から外に排気される。
【００１３】
本体ケース１０の電動部１１には、電動送風機１３の下側に位置して商用交流電源の電力を電動送風機１３等に供給するコードリール１７が配置されている。更に、電動部１１には、後述の下流フィルタの除塵をする下流塵落し具１９が設けられている。
【００１４】
図３に示すように下流塵落し具１９は、中央部に位置する接続部１９ａと、この接続部１９ａから放射状に突設された複数のアーム１９ｂと、各アーム１９ｂにわたって一体に設けられた環状ギヤ部１９ｃと、１つのアーム１９ｂに一体に突設された突起１９ｄとを備えている。接続部１９ａの表側端面の周部には、図６（Ｂ）に示すように凹部又は凸部からなる複数の係合部１９ｅが一体に設けられている。接続部１９ａがその裏側端面に開放して有した環状溝１９ｆ（図３参照）には、筒状をなす図示しない固定の支持軸が嵌め込まれ、この支持軸を中心として下流塵落し具１９が回転自在に支持されている。環状ギヤ部１９ｃにはコードリール１７の回転力が伝動装置１８（図２参照）を介して与えられる。したがって、コードリール１７に電源コード１７ａが出し入れされる度に、コードリール１７の回転を駆動力として下流塵落し具１９が回転されるようになっている。下流塵落し具１９は、その接続部１９ａと互いに隣接するアーム１９ｂと環状ギヤ部１９ｃとで囲まれた通気開口を通して、電動送風機１に吸込まれる空気を通過させることができる。
【００１５】
図２ないし図４に示すように集塵ケース３０の側壁には、把手部３１が設けられているとともに、この把手部３１の上方に位置して吸気入口３２が設けられている。吸気入口３２は、集塵ケース３０が図２に示すように電動送風機１３の上流側に配置されたときに、蓋体２０の吸込み口２１の真後ろに連続して配置される。集塵ケース３０の底面は開口されている。集塵ケース３０の底部には、その底面開口を開閉する底板３３が枢軸３４回りに回転可能に取付けられており、この底板３３を開けることにより集塵ケース３０内に溜められた塵を捨てることができる。底板３３の閉じ状態は、把手部３１に設けた操作釦の押し込みに連動する図示しない機構を介して解除されるようになっている。なお、図４中符号３３ａは気密保持用の環状のシール材を示している。
【００１６】
集塵ケース３０の例えば図３において右側に位置する後面の略全体は開口されており、この後面開口部を閉じて下流フィルタ３５が着脱可能に取付けられている。この下流フィルタ３５は、フィルタ枠３６と、この枠３６の内側全体を塞いで装着されたフィルタ要素３７とを備えている。フィルタ要素３７は、ろ材をマット状に形成したもので、ろ過面積を拡張するために波形形状に折り曲げたプリーツ形のフィルタ要素が好ましい例として採用されている。このフィルタ要素３７のプリーツは上下方向に延びている。なお、図３中符号３８は気密保持用の環状のシール材を示している。
【００１７】
下流フィルタ３５の上流側に位置して集塵ケース３０には上流フィルタ４１が内蔵されている。上流フィルタ４１は、合成樹脂製のネットホルダ４２と、このホルダ４２に装着されたフィルタ要素としてのナイロンなど合成樹脂製ネット４３とを備えている。図４に示すようにネットホルダ４２は、枠部４２ａ、ろ過凸部４２ｂ、このろ過凸部４２ｂから放射状に延びて設けられて枠部４２ａに一体に接続された複数の放射状リブ部４２ｃ、ろ過凸部４２ｂと同心的に設けられて各放射状リブ部４２ｃの中間部を一体に接続した環状リブ部４２ｄ等を有して形成されている。
【００１８】
この上流フィルタ４１の枠部４２ａは、集塵ケース３０の後部に図示しない接着剤等により固定されている。これにより、上流フィルタ４１は、下流フィルタ３５に対向し、かつ、下流フィルタ３５との間に間隙Ｇを設けてこの下流フィルタ３５の上流側に並べて配置されている。図３に示すように上流フィルタ４１の下端部は下流フィルタ３５の枠部４２ａの下枠部位に接近するように曲げられている。この曲げによって、上流フィルタ４１が、集塵ケース３０の底面開口の上方に対向して配置されるように、前側にせり出して設けられている。
【００１９】
ネットホルダ４２はネット４３に所定の張り状態を維持させる目的で使用されている。ネット４３はネットホルダ４２の裏面（電動送風機１３側）に接着されている。ネット４３のメッシュは、下流フィルタ３５のフィルタ要素３７のメッシュより粗い。これにより、上流フィルタ４１は主として粗塵を捕捉し、下流フィルタ３５は上流フィルタ４１を通過した塵を捕捉するようになっている。
【００２０】
ろ過凸部４２ｂは、略円錐状をなして、ネットホルダ４２の略中央位置に吸気入口３２に向けて、言いかえれば吸気入口３２に連続する吸込み口２１に向けて突出されている。ろ過凸部４２ｂの先端部は半球状をなして閉じられていて、この閉じ部分を除いた周部略全域にわたって通気窓４４が設けられている。これらの通気窓４４はろ過凸部４２ｂの内周面に内張りされたネット４３ａで裏側から被われている。このようなろ過凸部４２ｂを有した構成は、上流フィルタ４１のろ過面積を増やすことができる点で好ましい。ネット４３ａは、ネット４３と一体であっても、別体であってもよい。ろ過凸部４２ｂの先端部裏側には軸受筒部４５が一体に形成されている。
【００２１】
上流フィルタ４１には、そのネット４３、４３ａの除塵をする上流塵落し具４６が取付けられている。上流塵落し具４６は、ろ過凸部４２ｂにその軸受筒部４５を貫通して回転自在に支持された回転軸４７と、掃除体ホルダ４８と、掃除体４９、５０とから形成されている。回転軸４７は止め輪５１によって抜け止めされている。掃除体ホルダ４８は、ろ過凸部４２ｂの先端部閉じ部分から外に突出された回転軸４７の前端に連続した第１ホルダ部４８ａと、この第１ホルダ部４８ａにこれから折れ曲がるように連続した第２ホルダ部４８ｂとを有している。
【００２２】
第１ホルダ部４８ａはろ過凸部４２ｂの外周面の傾斜と略平行に設けられていて、この第１ホルダ部４８ａにはろ過凸部４２ｂの外周面を掃除する掃除体４９が取付けられている。第２ホルダ部４８ｂは上流フィルタ４１のろ過凸部４２ｂ回りの平板状部と略平行に設けられていて、この第２ホルダ部４８ｂには前記平板状部を掃除する掃除体５０が取付けられている。なお、図３中符号Ｌ１、Ｌ２は第２ホルダ部４８ｂの回転軌跡を示しており、これらの軌跡Ｌ１、Ｌ２間の部分を掃除体５０が掃除するようになっている。掃除体４９、５０は、ゴム又は繊維などで作られている。
【００２３】
上流塵落し具４６と前記下流塵落し具１９とは連動手段６１を介して連動される。この連動関係は、掃除機本体２に集塵ケース３０が取付けられることに伴い作られる。すなわち、連動手段６１は、下流フィルタ３５の略中央部に取付けられた硬質合成樹脂製の段付き軸受筒６２の小径円筒部を貫通して回転自在に支持された連動軸６３と、回転軸４７に設けた受動軸継手部６４とを備えている。
【００２４】
連動軸６３は止め輪６５により抜け止めされている。連動軸６３と段付き軸受筒６２の大径円筒部との間には、連動軸６３が貫通する環状のシールパッキン６６が設けられている。連動軸６３の前記大径円筒部側の端部には、カップリング６７が連動軸６３の軸方向に移動可能に嵌合されている。このカップリング６７は、連動軸６３と一緒に回転されるように周方向の動きを妨げられているとともに、コイルばね６８によってシールパッキン６６から離れる方向に付勢されている。なお、図３中符号６３ａはカップリング６７の外れ止めをなすために連動軸６３に取付けたフランジ状のストッパを示している。
【００２５】
図６（Ａ）に示すようにカップリング６７は、下流塵落し具１９の係合部１９ｅに着脱可能に凹凸嵌合する係合部６７ａを有している。集塵ケース３０が掃除機本体２に取付けられると、コイルばね６８を縮めながら係合部６７ａが係合部１９ｅに押し付けられて、両係合部１９ｅ、６７ａが互いに一体的に回転するように接続される。この時、下流塵落し具１９の突起１９ｄは、下流フィルタ３５のフィルタ要素３７の下流塵落し具１９と対向する裏面に位置するプリーツに引っ掛り得るように、フィルタ要素３７にその裏側から配置される。
【００２６】
上流フィルタ４１に向けて突出した連動軸６３の他端部には、図５（Ｂ）に示すように駆動軸継手部６９が設けられている。駆動軸継手部６９は複数の凹部又は凸部からなる係合部で形成されている。前記受動軸継手部６４は、上流フィルタ４１の略中央部を貫通した回転自在な回転軸４７の下流フィルタ３５に指向する端部に設けられている。この受動軸継手部６４は駆動軸継手部６９に着脱可能に凹凸嵌合する複数の凸部又は凹部からなる係合部で形成されている。集塵ケース３０に下流フィルタ３５が取付けられるに伴って、駆動軸継手部６９と受動軸継手部６４とが互いに一体的に回転するように接続される。
【００２７】
集塵ケース３０が組立てられた状態では、下流フィルタ３５で上流フィルタ４１が覆い隠されるとともに、上流塵落し具４６の回転軸４７と連動手段６１とが接続されている。この集塵ケース３０が掃除機本体２に取付けられた状態では、図２に示すように連動手段６１のカップリング６７と下流塵落し具１９の係合部１９ｅとが回転動力を伝達し得る状態に接続される。この状態は、電気掃除機１の通常の状態である。したがって、電気掃除機１を使用する際に、コードリール１７の電源コード１７ａが掃除機本体２から引出されるに伴って、伝動装置１８を介して下流塵落し具１９が回転されると同時に、この回転力が連動手段６１を介して上流塵落し具４６の回転軸４７に伝わり、上流塵落し具４６が回転される。
【００２８】
これにより、下流フィルタ３５と上流フィルタ４１との塵落しを同時にできる。この場合、回転される下流塵落し具１９の突起１９ｄが、フィルタ要素３７の上下方向に延びるプリーツをはじいて、このフィルタ要素３７を振動させる。これにより、下流フィルタ３５の塵落しがなされ、フィルタ要素３７の上流側表面から脱落した細塵は間隙Ｇ内の下端部に溜められる。又、上流塵落し具４６の回転に伴い、その掃除体４９によって上流フィルタ４１のろ過凸部４２ｂに張設されているネット４３ａに付着している綿埃などの塵落しがなされると同時に、掃除体５０によって上流フィルタ４１に張設されているネット４３に付着している綿埃などの塵落しがなされる。上流塵落し具４６で落された塵は集塵ケース３０の底板３３上に溜められる。
【００２９】
以上のように下流フィルタ３５と上流フィルタ４１に手を触れることなく、したがって、手を汚さずに衛生的に、かつ、掃除を開始する上で必要なコードリール１７の操作をするだけの簡単な作業で、下流フィルタ３５の塵落しができるだけではなく、集塵ケース３０に内蔵されていて、かつ、下流フィルタ３５で覆われていているが故に、手が届き難い上流フィルタ４１の塵落しができる。この場合、ネットからなる上流フィルタ４１の表側（上流側）の面を上流塵落し具４６が擦るので、確実に塵を落すことができ、かつ、上流塵落し具４６を集塵ケース３０の内部空間を利用して配置できる。これにより、上流塵落し具４６の配置スペースを格別に要することがなく、集塵ケース３０の大形化を招かない点で好ましい。
【００３０】
又、集塵ケース３０内に溜められた塵を捨てるには、この集塵ケース３０を掃除機本体２から外して、底板３３を開くことによって行える。この場合、必要に応じて、集塵ケース３０から下流フィルタ３５を引き外すことができる。この引き外しは、連動手段６１の受動軸継手部６４と駆動軸継手部６９との噛合いが離れることによって、上流塵落し具４６に拘束されることなく行える。下流フィルタ３５が外されることによって、間隙Ｇ内に溜まっている細塵を捨てることができる。更に、下流フィルタ３５が外された状態では、ろ過凸部４２ｂの裏側開口が露出しているので、この開口内に指を入れて回転軸４７を回転させことができる。つまり、上流塵落し具４６を回転操作して、ネット４３、４３ａの塵落しをすることができる。
【００３１】
図７は本発明の第２実施形態を示している。この第２実施形態は基本的には第１実施形態と同じであるので、同じ構成については第１実施形態の該当構成と同じ符号を付してその説明を省略し、以下相違する構成について説明する。
【００３２】
上流フィルタ４１のネットホルダ４２の上半分は非通気性の閉鎖板部４２ｅとなっており、この下側に枠部４２ａが形成されている。したがって、放射状リブ部４２ｃの数は第１実施形態に比較して半減しており、環状リブ部に代えて半円状リブ部４２ｆが設けられている。ろ過凸部４２ｂの上部と下部とは非通気性の閉鎖部４２ｇ、４２ｈとなっていて、ろ過凸部４２ｂの左右両側部分のみにネット４３ａが張設された通気窓４４を設けている。以上説明した点以外の構成は図７に示されない構成を含めて第１実施形態と同じである。
【００３３】
したがって、この第２実施形態においても、第１実施形態と同様な作用を得て、本発明の課題を解決できる。しかも、吸気入口３２から流入した硬い塵が、吸気入口３２に向けて突出しているろ過凸部４２ｂのネット４３ａに衝突することを抑制して、張られているネット４３ａの破損を抑制できる。この結果として、ろ過凸部４２ｂの吸気入口３２と対向する非通気性の閉鎖部４２ｇに硬い塵が勢いよく衝突することがあっても、これを上方に反射させて、この反射方向において更に非通気性の閉鎖板部４２ｅで受けることができる。これにより、ろ過凸部４２ｂを回り込もうとする空気と前記硬い塵を含む粗塵などとの分離性能を向上できる点で好ましい。
【００３４】
本発明は前記両実施形態には制約されない。例えば、上流フィルタ４１のろ過凸部４２ｂは省略してもよい。又、上流フィルタ４１がろ過凸部４２ｂを有する場合に、上流塵落し具４６は、少なくともろ過凸部４２ｂの塵落しをする第１ホルダ部４８ａ及び掃除体４９があればよい。
【図面の簡単な説明】
【００３５】
【図１】本発明の第１実施形態に係る電気掃除機を示す斜視図。
【図２】図１の電気掃除機の掃除機本体を一部断面して示す側面図。
【図３】図１の電気掃除機が備える集塵ケースを下流塵落し具とともに示す断面図。
【図４】図３中矢印Ｚ−Ｚ線に沿って示す断面図。
【図５】（Ａ）は連動手段の受動軸継手部を示す正面図。（Ｂ）は連動手段の駆動軸継手部を示す正面図。
【図６】（Ａ）は連動手段の係合部を示す正面図。（Ｂ）は下流塵落し具の係合部を示す正面図。
【図７】本発明の第２実施形態に係る電気掃除機が備える集塵ケースを示す図４相当の断面図。
【符号の説明】
【００３６】
１…電気掃除機、２…掃除機本体、１３…電動送風機、１９…下流フィルタ、１９ａ…接続部、１９ｅ…係合部、３０…集塵ケース、３５…下流フィルタ、３７…フィルタ要素、４１…上流フィルタ、４２ｂ…ろ過凸部、４３、４３ａ…ネット、４６…上流塵落し具、４７…回転軸、４８…掃除体ホルダ、４９、５０…掃除体、６１…連動手段、６３…連動軸、６４…受動軸継手部、６７…カップリング、６８…コイルばね、６９…駆動軸継手部
【図１】
2005177289.tif 000003
【図２】
2005177289.tif 000004
【図３】
2005177289.tif 000005
【図４】
2005177289.tif 000006
【図５】
2005177289.tif 000007
【図６】
2005177289.tif 000008
【図７】
2005177289.tif 000009